(57)【要約】【課題】パチンコ玉に付着した汚れが搬送樋の底面に転移するのを防ぐ、パチンコ島における搬送樋の汚れ防止構造を提供すること。【解決手段】パチンコ島における搬送樋の汚れ防止構造は、パチンコ島内に配置した集合樋（１５）のパチンコ玉が転がる底面（３３ａ）を、ロール状に巻き付けてあり、一部を集合樋の長さ方向へ引き出した帯状体（３１）の引出し部分（３１ａ）で被ったことを特徴とする。【選択図】      図２
2004208755.tif 000002
【特許請求の範囲】
【請求項１】
パチンコ島内に配置した搬送樋のパチンコ玉が転がる底面を、ロール状に巻き付けてあり、かつ、一部を前記搬送樋の長さ方向へ引き出した帯状体の引出し部分で被ったことを特徴とする、パチンコ島における搬送樋の汚れ防止構造。
【請求項２】
前記帯状体を引き出すとき、帯状体を巻き取る巻取りローラを備える
ことを特徴とする、請求項１に記載のパチンコ島における搬送樋の汚れ防止構造。
【請求項３】
前記搬送樋はパチンコ機が排出したパチンコ玉を搬送する集合樋である
ことを特徴とする、請求項１又は２に記載のパチンコ島における搬送樋の汚れ防止構造。
【発明の詳細な説明】
【０００１】
【発明の属する技術分野】
この発明はパチンコ島における、集合樋、補給樋その他の搬送樋の汚れ防止構造に関する。
【０００２】
【従来の技術】
パチンコ遊技場では、複数のパチンコ機それぞれの遊技面が実質的に同一面上に位置するように、複数のパチンコ機を横方向へ配列すると共に、このような２つの配列を背中合わせに設置してパチンコ島と呼称される遊技ゾーンを作り、パチンコ玉の研磨その他の管理などを原則としてパチンコ島単位で行っている。
【０００３】
パチンコ島内の各パチンコ機から排出される遊技済みのパチンコ玉は、パチンコ島内に配置した集合樋によって下部タンクに集められ、通常、この下部タンクにおいて、又は揚送される間に研磨される（例えば、特許文献１及び特許文献２参照）。前記集合樋を、上下に配置した一対のベルトコンベヤで形成すると共に、一対のベルトコンベヤのうち、少なくとも一方のベルトコンベヤの搬送ベルトを研磨材で作り、パチンコ玉が集合樋に沿って移動する間にパチンコ玉を研磨することもある（例えば、特許文献３参照）。研磨後、揚送されたパチンコ玉は、補給樋を経て各パチンコ機に補給される。
【０００４】
【特許文献１】
特開平１１―２７６７０９号公報（第３−４頁）
【特許文献２】
特開平１１―２５３６４３号公報（第４−６頁）
【特許文献３】
特開平８−６６５５１号公報（第５−６頁）
【０００５】
【発明が解決しようとする課題】
パチンコ玉には埃や湿気がつき易く、これらに基づく汚れは、前述したようにパチンコ玉を研磨することによって取り除くことができる。一方、パチンコ玉の移動に供する搬送樋、特に搬送樋の底面は、パチンコ玉の表面に付着した汚れを転移され、汚れが次第に蓄積することとなる。そのため、搬送樋の底面を定期的に人手によって清掃する必要があるところ、その清掃が狭い場所での作業となり、作業者に負担を及ぼしている。
【０００６】
【課題を解決するための手段】
この発明は、パチンコ玉に付着した汚れが搬送樋の底面に転移するのを防ぐ、パチンコ島における搬送樋の汚れ防止構造を提供することを課題とする。この課題を解決するため、この発明の発明者は、集合樋や補給樋その他の搬送樋の底面を、ロール状に巻き付けた帯状体の一部で被うこととした。発明の詳しい内容については項を改めて説明する。なお、何れかの請求項の発明に関する用語の定義などは、発明の性質に反しない限り、別の請求項の発明にも適用されるものとする。
【０００７】
（請求項１に記載した発明の構成）
請求項１に記載した発明に係る、パチンコ島における搬送樋の汚れ防止構造（以下、請求項１の防止構造という）は、パチンコ島内に配置した搬送樋のパチンコ玉が転がる底面を、ロール状に巻き付けてあり、かつ、一部を前記搬送樋の長さ方向へ引き出した帯状体の引出し部分で被ったことを特徴とする。搬送樋は集合樋、補給樋などであり、その底面は、パチンコ玉が転がるように下部タンクへ向けて下向き傾斜状に配置してある。帯状体は、布、紙、プラスチックシート又はアルミシートをロール状に巻き付けたもので、一部を巻き戻して引き出し、その引出し部分で搬送樋の底面を被う。その結果、パチンコ玉は帯状体上を転がるようになる。そこで、パチンコ玉が転がる帯状体の面に研磨剤のコーティングをしたり、低摩擦剤のコーティングをしたりすることが便宜である。帯状体が布又は紙である場合、帯状体そのものを研磨布又は研磨紙で作ることもできる。帯状体のロール状に巻き付けた、いわゆるロール部分は、搬送樋に、又はパチンコ島のパチンコ機を取り付ける枠台に回転可能に支持する。帯状体を引き出す際に、また使用時に、帯状体の引出し部分が弛まないように、ロール部分を制動することが好ましい。そのためには、例えば、ロール部分の出口側に押え板を置く。一方、帯状体の引出し部分の、搬送樋の底面と干渉しない部分に、重りを吊り下げたり、引出し部分を巻き取りローラに巻き取ったりする。
【０００８】
（請求項１に記載した発明の作用効果）
請求項１の防止構造によれば、搬送樋の底面を帯状体の引出し部分で被っているため、各パチンコ機から排出されたパチンコ玉は帯状体の引出し部分に載ってこの上を転がる。その結果、パチンコ玉の汚れは帯状体の引出し部分に転移される。汚れが帯状体の引出し部分に蓄積したとき、帯状体を新たに引き出して汚れ部分を取り除くと共に、新たに引き出した帯状体の引出し部分で搬送樋の底面を被うことができる。したがって、パチンコ玉が搬送樋の底面と直接接触するのを防ぎ、汚れが底面に付着するのを防止できる上、帯状体の汚れ部分を取り除くだけで清掃が完了するため、作業者の負担を減らすことができる。また、パチンコ玉の汚れの少なくとも一部を帯状体に転移する結果、パチンコ玉全体の汚れが少なくなり、パチンコ島に設置する研磨装置の仕事量を減らすことができる。また、帯状体がロール状に巻き付けられているため、帯状体の表面に折り畳み線などが現れることがなく、パチンコ玉の転がりに影響を及ぼすことがない。
【０００９】
（請求項２に記載した発明の構成）
請求項２に記載した発明に係る、パチンコ島における搬送樋の汚れ防止構造（以下、請求項２の防止構造という）は、請求項１の防止構造に限定が加わり、前記帯状体を引き出すとき、前記帯状体を巻き取る巻取りローラを備えることを特徴とする。巻取りローラは、手動又は電動で回転するもので、搬送樋の底の下方に位置するように、搬送樋に、又はパチンコ島のパチンコ機を取り付ける枠台に回転可能に支持する。巻取りローラは、つめ車装置によって一方向、つまり帯状体を巻き取る方向へのみ回転できるようにすることが好ましい。
【００１０】
（請求項２に記載した発明の作用効果）
請求項２の防止構造によれば、汚れを転移された帯状体の引出し部分を巻取りローラに巻き取ることによって、帯状体のロール部分を巻き戻して引き出し、搬送樋の底面を被うことができるため、汚れ部分の除去と、新たな引出し部分による底面の被いとを単一作業で迅速に行うことができる。また、汚れた帯状体の部分を巻取りローラに巻き取ることにより、汚れた部分の処理が完了するため、汚れた部分を雑巾等で拭いたり、擦ったりする煩雑な作業が不要である。帯状体のロール部分を全て巻き戻して帯状体を使用し尽くしたとき、汚れた帯状体を巻きつけた巻取りローラ毎廃棄するか、又は汚れた帯状体を巻取りローラから巻き戻して帯状体だけ廃棄し、巻取りローラは再使用することができる。
【００１１】
（請求項３に記載した発明の構成）
請求項３に記載した発明に係る、パチンコ島における搬送樋の汚れ防止構造（以下、請求項３の防止構造という）は、請求項１又は２の防止構造に限定が加わり、前記搬送樋はパチンコ機が排出したパチンコ玉を搬送する集合樋であることを特徴とする。集合樋とは、各パチンコ機から排出される遊技済みのパチンコ玉のほか、パチンコ玉計数器で計数を済ませたパチンコ玉やパチンコ機の下方に設けられる貯蔵タンクから持ち上げられたパチンコ玉等をも搬送可能な樋であって、その名称に関係なく、前記機能を果たすものをいう。
【００１２】
（請求項３に記載した発明の作用効果）
集合樋は、研磨前の汚れたパチンコ玉が転がる樋であるため、汚れが一番ひどく付着するにもかかわらず、パチンコ機の下方の清掃に適さない場所に位置しており、清掃しづらい樋である。請求項３の防止構造によれば、集合樋の底面を帯状体の引出し部分で被うため、汚れ防止効果を一層発現することができ、清掃作業能率を高めることができる。
【００１３】
【発明の実施形態】
以下に図面を参照してこの発明の実施形態について説明する。図面中、図１はパチンコ島の長さ方向に沿う仮想面で切断したパチンコ島の内部を模式的に示す正面図、図２は帯状体の支持構造の、図３の２−２線で切断した断面図、図３は図２の右側面図、図４は巻取りローラの作動機構を示す正面図、図５は図４の左側面図である。
【００１４】
（パチンコ島の概略）
パチンコ島１１は、複数のパチンコ機１３，１３・・を、それぞれの遊技面が実質的に同一面上に位置するように横方向へ配列し、この配列を背中合わせにして作られている。したがって、図１の手前側には同数のパチンコ機が遊技面を手前に向けて並んでいる。パチンコ島１１内部には集合樋１５を下向き傾斜状に配置してあり、各パチンコ機１３，１３・・から排出された遊技済みのパチンコ玉や、パチンコ玉計数器１７で計数を済ませたパチンコ玉が集合樋１５上を転がりながら下部タンク１９へ向けて移動する。集合樋１５からこぼれ落ちたパチンコ玉は、貯蔵タンク２１に蓄えられる。貯蔵タンク２１の底（図示を省略）は集合樋１５と同様に、下向き傾斜状に形成してあり、貯蔵タンク２１内のパチンコ玉はミニリフト２３に向けて移動し、ミニリフト２３によって集合樋１５まで持ち上げられる。
【００１５】
集合樋１５を転がりながら移動するパチンコ玉は下部タンク１９に入り、揚送装置２５によって上方へ運ばれる。パチンコ玉は、上方へ運ばれる間に、又は下部タンク１９において、従来と同様に研磨される。上方へ運ばれたパチンコ玉は補給樋２７に供給され、この補給樋２７から各パチンコ機１３に補給される。図１に示す実施形態では、揚送装置２５がパチンコ島１１の横方向のほぼ中央に位置しており、２つの補給樋２７，２７をパチンコ島１１の妻に向けて下向き傾斜状に配置してある。前記したパチンコ島１１の構造自体は公知である。
【００１６】
（汚れ防止構造の構成）
この発明に係るパチンコ島における搬送樋の汚れ防止構造は、パチンコ島１１内に配置した搬送樋のパチンコ玉が転がる底面を、ロール状に巻き付けてあり、一部を前記搬送樋の長さ方向へ引き出した帯状体３１の引出し部分３１ａで被う。
【００１７】
搬送樋は、図示の実施形態では集合樋１５である。集合樋１５は、下部タンク１９へ向けて下向き傾斜した底板３３と、底板３３に向けて傾斜状に延びる、底板３３の両側に配置した一対のガイド板３５，３５と、を備える。各パチンコ機１３から排出されたパチンコ玉はガイド板３５，３５によって底板３３に導かれ、その底面３３ａ上を転がる。
【００１８】
帯状体３１は、図２及び図３に示す実施形態では、支持部材３７に支持されている。支持部材３７は、一対のフレーム３９，３９と、これらフレーム３９，３９の頂部を連結する押え板４１と、からなる。帯状体３１を構成する素材は、たとえば、布、紙又はプラスチックシートを好適に用いることができる。これらの布、紙又はプラスチックシートは、ロールした部分から巻き戻して引き出すことができる強度と、集合樋１５の底面３３ａを被覆可能であり、この被覆状態を保つことができる剛性を備えるものを採用する。上記した素材を組み合わせて使用したり、補強するための加工を施したりすることも可能である。
【００１９】
各フレーム３９は、帯状体３１の心材３１ｂの端部を受け入れる受入溝３９ａを下方部分に有し、さらに、受入溝３９ａとは反対側の上方部分にブラケット３９ｂを有する。ブラケット３９ｂから、図３において横方向の外方へ軸４３を延ばし、この軸４３を支持プレート４５によって回転可能に支持し、支持プレート４５の上方端部をガイド板３５に固定的に取りつける。その結果、支持部材３７は、軸４３，４３の回りを回転可能に集合樋１５に支持されている。
【００２０】
一方、押え板４１は、軸４３，４３から離れる向きへ集合樋１５の底板３３に沿って延び、かつ、底板３３を横切るように底板３３の上方に位置している。支持部材３７が軸４３，４３の回りを回転可能であることと、押え板４１が軸４３，４３から離れる向きへ延びていることから、押え板４１は常に底板３３に向く、図２において反時計方向の回転モーメントを受ける。したがって、支持部材３７の一対のフレーム３９，３９の受入溝３９ａ，３９ａ内に帯状体３１の心材３１ｂの端部を入れ、帯状体３１を支持した状態では、押え板４１は一層大きな回転モーメントで底板３３に押しつけられる。押え板４１がガイド板３５と干渉することなく回転できるように、押え板４１に対応するガイド板３５の部位に切欠き３５ａを設けてある。
【００２１】
図示の実施形態では、帯状体３１を引き出すとき、帯状体３１を巻取りローラ５１に巻き取っている。図４及び図５に示すように、巻取りローラ５１は、木材又はプラスチックによって円形外周を有するものとして作ることができる。この巻取りローラ５１は作動機構５３に支持され、作動機構５３によって回転される。
【００２２】
作動機構５３は、巻取りローラ５１を支持する、回転円板５５及び固定円板５７を有する。回転円板５５は、ガイド板３５に固定した一対の支持プレート５９の一方に回転可能に支持された軸６１に固定的に連結され、軸６１と一緒に回転する。その一方で、巻取りローラ５１を回転不可能に、かつ、分離可能に連結するため、回転円板５５の巻取りローラ５１に対面する中央部位に巻取りローラ５１を回転不可能に連結する孔５５ａを設け、巻取りローラ５１の端部を前記孔５５ａに差し込む。孔５５ａと端部とは、例えば、孔５５ａに彫ったキー溝と巻取りローラ５１の端部に植えたキーとの嵌合によって、又は非円形の孔５５ａとこれに整合する端部形状との嵌合によって回転不可能に連結することができる。これに対して、固定円板５７は、一対の支持プレート５９の他方に回転不可能に、かつ、巻取りローラ５１の軸線方向へ移動可能に支持された軸６３に固定的に連結され、軸６３と一緒に軸線方向へ移動する。その一方で、巻取りローラ５１を回転可能に、かつ、分離可能に連結するため、固定円板５７の巻取りローラ５１に対面する中央部位に巻取りローラ５１を回転可能に連結する孔５７ａを設け、巻取りローラ５１の端部を前記孔５７ａに差し込む。
【００２３】
図示の実施形態では、軸６１につめ車６５を固定的に取りつけてあり、支持プレート５９に揺動可能に取りつけたつめ６７がつめ車６５の歯に係合している。その結果、つめ車６５は回転円板５５と一緒に、帯状体を巻き取る方向のみへ回転する。軸６１の端部を四角形断面に形成しておき、ハンドル６９の端部に設けた四角形孔と軸６１の端部を着脱可能とする。これによって、不要なときハンドル６９を軸６１から外しておくことができる。
【００２４】
（汚れ防止構造の実施形態の作用）
支持部材３７の一対のフレーム３９にある受入溝３９ａ内に、帯状体３１の心材３１ｂの端部を入れ、帯状体３１を支持する。帯状体３１の端を引き出して集合樋１５の底板３３と押え板４１との間に導き、引出し部分３１ａによって底板３３の底面３３ａを被うことができる程度に帯状体３１を巻き戻して引き出す。帯状体３１の端は巻取りローラ５１に接着テープで固定する。この状態でハンドル６９によって回転円板５５を回転し、帯状体３１を巻取りローラ５１に少し巻き取る。このとき、帯状体３１のロール部分は押え板４１の押付力によって、また端部分はつめ車６５とつめ６７との係合によってそれぞれ緩みが防止されることから、引出し部分３１ａの弛みを取り除き、引出し部分３１ａをパチンコ玉の搬送に供することができる。
【００２５】
相当時間の経過後、パチンコ玉の汚れが引出し部分３１ａに転移したと判断したとき、ハンドル６９を軸６１に連結して回転すると、回転円板５５が軸６１と一緒に回転し、それと共に巻取りローラ５１が回転し、帯状体３１の使用に供されていた引出し部分３１ａを巻き取る。引出し部分３１ａの巻取りに伴い、帯状体３１のロール部分が巻き戻されることとなり、新たな引出し部分によって集合樋１５の底板３３の底面３３ａを被う。
【００２６】
前記操作を繰り返した後、帯状体３１のロール部分が底板３３の底面３３ａを被うことができない長さになったとき、ハンドル６９を回転し、帯状体３１の全体を巻取りローラ５１に巻き取る。そして、つまみ６３ａを引っ張り、固定円板５７を軸線方向へ移動して巻取りローラ５１から分離し、帯状体３１を巻き取った巻取りローラ５１を回転円板５５から分離する。その後、新たな巻取りローラ５１を回転円板５５に差し込み、固定円板５７を押し出して支持する。一方、新しいロール状の帯状体３１を支持部材３７に取りつける。
【００２７】
図１から明らかであるように、パチンコ島１１には複数の集合樋１５があるため、全ての集合樋１５にこの発明を適用することができる。また、補給樋２７に適用することもでき、集合樋１５と補給樋２７に適用することもできる。
【００２８】
【発明の効果】
この発明によれば、帯状体の引出し部分の位置を変えるだけで汚れ部分を取り除くため、清掃作業を容易、かつ、迅速に行うことができる。
【図面の簡単な説明】
【図１】パチンコ島の長さ方向に沿う仮想面で切断したパチンコ島の内部を模式的に示す正面図である。
【図２】帯状体の支持構造の、図３の２−２線で切断した断面図である。
【図３】図２の右側面図である。
【図４】巻取りローラの作動機構を示す正面図である。
【図５】図４の左側面図である。
【符号の説明】
１１  パチンコ島
１３  パチンコ機
１５  集合樋
１７  パチンコ玉計数器
１９  下部タンク
２１  貯蔵タンク
２３  ミニリフト
２５  揚送装置
２７  補給樋
３１  帯状体
３１ａ  引出し部分
３１ｂ  心材
３３  底板
３３ａ  底面
３５  ガイド板
３５ａ  切欠き
３７  支持部材
３９  フレーム
３９ａ  受入溝
３９ｂ  ブラケット
４１  押え板
４３  軸
４５  支持プレート
５１  巻取りローラ
５３  作動機構
５５  回転円板
５５ａ，５７ａ  孔
５７  固定円板
５９  支持プレート
６１，６３  軸
６３ａ  つまみ
６５  つめ車
６７  つめ
６９  ハンドル
【図１】
2004208755.tif 000003
【図２】
2004208755.tif 000004
【図３】
2004208755.tif 000005
【図４】
2004208755.tif 000006
【図５】
2004208755.tif 000007